(57)【要約】【課題】特定の照明器具から放射される光の調節を簡単に行うことができる照明制御システムを提供する。【解決手段】照明制御システム１は、照明器具４、制御ユニット５及び制御端末６を備える。制御ユニット５は、照明器具４から放射される光の照明としての制御条件を維持しながら光の強弱を変化させることにより、照明器具４から識別情報を送信させる。制御ユニット５は、照明器具４を表す識別情報を制御端末６が受信すると、制御端末６が受信した照明情報に基づいて、照明器具４の制御条件を調節する。【選択図】図１
2017162802.tif 000002
【特許請求の範囲】
【請求項１】
照明器具から放射される光の照明としての制御条件を維持しながら光の強弱を変化させることにより、前記照明器具から識別情報を送信させる第１制御ユニットと、
前記照明器具を表す識別情報を含む器具識別情報及び前記器具識別情報に対応した照明情報を受信する第２制御ユニットと、
を備え、
前記第１制御ユニットは、前記器具識別情報のうち前記照明器具を表す識別情報を前記第２制御ユニットが受信すると、前記第２制御ユニットが受信した前記照明情報に基づいて、前記照明器具の前記制御条件を調節する照明制御システム。
【請求項２】
当該照明制御システムは、照明器具を有し、
前記照明器具は、赤色光源、緑色光源又は青色光源の少なくとも何れか一つの光源を備え、
前記第１制御ユニットは、前記光源から放射される光を変化させることにより、前記照明器具から識別情報を送信させる請求項１に記載の照明制御システム。
【請求項３】
当該照明制御システムは、照明器具を有し、
前記照明器具は、赤色光源、緑色光源及び青色光源を備え、
前記第１制御ユニットは、前記赤色光源から放射される光、前記緑色光源から放射される光及び前記青色光源から放射される光を変化させることにより、前記照明器具から識別情報を送信させる請求項１に記載の照明制御システム。
【請求項４】
当該照明制御システムは、照明器具を有し、
前記照明器具は、白色光源を備え、
前記第１制御ユニットは、前記白色光源から放射される光の前記制御条件を維持しながら、撮像素子のフレームレートに同期する周期で光の強弱を調節することにより、前記照明器具から識別情報を送信させる請求項１に記載の照明制御システム。
【請求項５】
前記照明器具は、白色光源を更に備え、
前記第１制御ユニットは、前記照明器具を表す識別情報を前記第２制御ユニットが受信すると、前記第２制御ユニットが受信した照明情報に基づいて、前記赤色光源から放射される光、前記緑色光源から放射される光、前記青色光源から放射される光及び前記白色光源から放射される光を調節する請求項２又は請求項３に記載の照明制御システム。
【請求項６】
第１照明器具と、
第２照明器具と、
前記第１照明器具から放射される光を変化させることにより、前記第１照明器具から識別情報を送信させる第１制御ユニットと、
前記識別情報及び前記識別情報に対応した照明情報を受信する第２制御ユニットと、
を備え、
前記第１制御ユニットは、前記第１照明器具を表す識別情報を前記第２制御ユニットが受信すると、前記第１照明器具を表す識別情報と共に前記第２制御ユニットが受信した照明情報に基づいて、前記第１照明器具及び前記第２照明器具の照明としての制御条件を調節する照明制御システム。
【請求項７】
前記第１照明器具は、赤色光源、緑色光源又は青色光源の少なくとも何れか一つの光源を備え、
前記第１制御ユニットは、前記光源から放射される光を変化させることにより、前記第１照明器具から識別情報を送信させる請求項６に記載の照明制御システム。
【請求項８】
前記第１照明器具は、赤色光源、緑色光源及び青色光源を備え、
前記第１制御ユニットは、前記赤色光源から放射される光、前記緑色光源から放射される光及び前記青色光源から放射される光を変化させることにより、前記第１照明器具から識別情報を送信させる請求項６に記載の照明制御システム。
【請求項９】
前記第２照明器具は、白色光源を備えた請求項７又は請求項８に記載の照明制御システム。
【請求項１０】
赤色光源、緑色光源、青色光源又は白色光源の少なくとも何れか一つの光源を有し、前記光源から放射される光を変化させることにより、前記光源から識別情報を送信させる発光器と、
照明器具の制御条件を調節する第１制御ユニットと、
前記識別情報及び前記識別情報に対応した照明器具の照明情報を受信する第２制御ユニットと、
を備え、
前記第１制御ユニットは、前記第２制御ユニットが前記識別情報を受信すると、前記第２制御ユニットが受信した照明情報に基づいて、前記制御条件を調節する照明制御システム。
【請求項１１】
赤色光源、緑色光源及び青色光源を有し、前記赤色光源から放射される光、前記緑色光源から放射される光及び前記青色光源から放射される光を変化させることにより、識別情報を送信する発光器と、
照明器具の制御条件を調節する第１制御ユニットと、
前記識別情報及び前記識別情報に対応した照明器具の照明情報を受信する第２制御ユニットと、
を備え、
前記第１制御ユニットは、前記第２制御ユニットが前記識別情報を受信すると、前記第２制御ユニットが受信した照明情報に基づいて、前記制御条件を調節する照明制御システム。
【請求項１２】
前記発光器は、白色光源を備えた請求項１１に記載の照明制御システム。
【請求項１３】
前記制御条件は、調光度、光色又は色温度の少なくとも何れか一つである請求項１から請求項１２の何れか一項に記載の照明制御システム。
【請求項１４】
赤色光源、緑色光源、青色光源又は白色光源の少なくとも何れか一つの光源と、
前記光源から放射される光を変化させることにより、前記光源から識別情報を送信させる第１制御ユニットと、
前記識別情報及び前記識別情報に対応した照明器具の照明情報を受信する第２制御ユニットと、
を備え、
前記第１制御ユニットは、前記識別情報を前記第２制御ユニットが受信すると、前記第２制御ユニットが受信した照明情報に基づいて、前記照明器具の制御条件を調節する発光装置。
【請求項１５】
前記制御条件は、調光度、光色又は色温度の少なくとも何れか一つである請求項１４に記載の発光装置。
【請求項１６】
光を受ける受光部と、
前記受光部が受けた光に基づいて、識別情報を特定する特定部と、
照明器具に対する照明情報を入力する入力部と、
前記特定部が特定した識別情報及び前記入力部から入力された照明情報を送信し、前記照明器具の第１制御ユニットに前記照明器具の照明としての制御条件を調節させる送信部と、
を備えた携帯端末。
【請求項１７】
前記特定部は、前記受光部が受けた光のうち特定波長の光に基づいて、識別情報を特定する請求項１６に記載の携帯端末。
【請求項１８】
前記特定波長は、赤色光、緑色光又は青色光の何れかの波長に対応する請求項１７に記載の携帯端末。
【請求項１９】
光を受ける受光部が検知した情報を入力する入力ステップと、
前記入力ステップで入力した情報から、前記光が持つ波長のうち特定波長の強度情報を抽出する抽出ステップと、
前記強度情報に基づいて、制御対象の照明器具の識別情報を特定する特定ステップと、
前記特定ステップで特定した前記照明器具を制御する制御情報を出力する出力ステップと、
を備えた携帯端末の制御方法。
【請求項２０】
前記抽出ステップで強度情報を抽出する特定波長は、赤色光、緑色光又は青色光の何れかの波長に対応する請求項１９に記載の携帯端末の制御方法。
【請求項２１】
画像を取得するための受光部と、
前記受光部が受けた光に基づいて、照明器具を表す識別情報を特定する特定部と、
前記特定部が特定した識別情報を送信する送信部と、
前記送信部が送信した識別情報に対する応答として、前記照明器具の位置を表す器具位置情報を受信する受信部と、
を備え、
前記送信部は、前記受信部が受信した器具位置情報と前記受光部によって取得された画像とを送信する携帯端末。
【請求項２２】
前記送信部は、前記照明器具を備える照明制御システムと通信可能な認証サーバに、前記特定部が特定した識別情報を送信し、
前記受信部は、前記照明器具の位置を表す器具位置情報を前記認証サーバから受信する
請求項２１に記載の携帯端末。
【請求項２３】
前記送信部は、前記特定部が特定した識別情報を前記認証サーバに送信することにより、前記認証サーバに、前記照明器具の位置を表す器具位置情報を前記照明制御システムから取得させる請求項２２に記載の携帯端末。
【請求項２４】
表示部を更に備え、
前記受信部は、前記送信部が送信した識別情報に対する応答として、前記照明器具の位置を表す器具位置情報と前記照明器具からの光が当たる被照射物の詳細情報とを受信し、
前記表示部は、前記受信部が受信した詳細情報と前記受光部によって取得された画像とを表示する請求項２１から請求項２３の何れか一項に記載の携帯端末。
【請求項２５】
前記送信部は、前記照明器具を備える照明制御システムと通信可能な認証サーバに、前記特定部が特定した識別情報を送信し、
前記受信部は、前記被照射物の詳細情報を前記認証サーバから受信する請求項２４に記載の携帯端末。
【請求項２６】
前記送信部は、前記特定部が特定した識別情報を前記認証サーバに送信することにより、前記認証サーバに、前記被照射物の詳細情報を前記照明制御システムから取得させる請求項２５に記載の携帯端末。
【請求項２７】
前記特定部は、前記受光部が受けた光のうち特定波長の光に基づいて、識別情報を特定する請求項２１から請求項２６の何れか一項に記載の携帯端末。
【請求項２８】
前記特定波長は、赤色光、緑色光又は青色光の何れかの波長に対応する請求項２７に記載の携帯端末。
【請求項２９】
照明器具からの光が当たる被照射物の画像を受光部によって取得する取得ステップと、
前記受光部が受けた光に基づいて、前記照明器具を表す識別情報を特定する特定ステップと、
前記特定ステップで特定した識別情報を送信する第１送信ステップと、
前記第１送信ステップで送信した識別情報に対する応答として、前記照明器具の位置を表す器具位置情報を受信する受信ステップと、
前記受信ステップで受信した器具位置情報と前記受光部によって取得された画像とを送信する第２送信ステップと、
を備えた携帯端末の制御方法。
【請求項３０】
前記受信ステップの後に行われる表示ステップを更に備え、
前記受信ステップにおいて、前記第１送信ステップで送信した識別情報に対する応答として、前記照明器具の位置を表す器具位置情報と前記被照射物の詳細情報とを受信し、
前記表示ステップにおいて、前記受信ステップで受信した詳細情報と前記受光部によって取得された画像とを表示する請求項２９に記載の携帯端末の制御方法。
【請求項３１】
前記特定ステップにおいて、前記受光部が受けた光が持つ波長のうち特定波長の強度情報を抽出し、抽出した強度情報に基づいて識別情報を特定する請求項２９又は請求項３０に記載の携帯端末の制御方法。
【請求項３２】
前記特定ステップで強度情報を抽出する特定波長は、赤色光、緑色光又は青色光の何れかの波長に対応する請求項３１に記載の携帯端末の制御方法。
【請求項３３】
受光部が受けた光に基づいて、照明器具を表す識別情報を特定する特定ステップと、
前記特定ステップで特定した識別情報を送信する第１送信ステップと、
前記第１送信ステップで送信した識別情報に対する応答として前記照明器具の位置を表す器具位置情報を受信すると、受信したその器具位置情報と前記受光部によって取得された画像とを送信する第２送信ステップと、
をプロセッサに実行させるためのプログラム。
【請求項３４】
前記第１送信ステップで送信した識別情報に対する応答として前記照明器具の位置を表す器具位置情報と被照射物の詳細情報とを受信すると、受信したその詳細情報と前記受光部によって取得された画像とを表示部に表示させる表示ステップを前記プロセッサに更に実行させるための請求項３３に記載のプログラム。
【発明の詳細な説明】
【技術分野】
【０００１】
この発明は、照明制御システム、発光装置、携帯端末、携帯端末の制御方法及びプログラムに関する。
【背景技術】
【０００２】
特許文献１に、照明器具が記載されている。特許文献１に記載された照明器具は、リモコン或いはスイッチを備える。リモコンは、光源の制御部との間で赤外線通信を行う。スイッチは、部屋の壁等に設けられる。リモコン及びスイッチは、光源から放射される光を調節する際に使用される。
【先行技術文献】
【特許文献】
【０００３】
【特許文献１】特開２０１４−２２２５７９号公報
【発明の概要】
【発明が解決しようとする課題】
【０００４】
特許文献１に記載された照明器具では、光源から放射される光を調節する際に専用のリモコンを使用しなければならない。また、壁等に設置されているスイッチを操作しなければならない。例えば、店舗等では特定の照明器具からの光を調節する際に、リモコンをどこに向けて操作すれば良いのか分からないことがある。また、照明器具から遠い位置にスイッチが設置されていることがある。このため、光を調節するのに手間が掛かるといった問題があった。
【０００５】
また、屋内空間等で人と待ち合わせをする場合は、待ち合わせ場所を正確に伝えることが難しく、なかなか相手に会えないことがあった。特許文献１に記載された照明器具をこのような問題を解決するために活用することはできなかった。
【０００６】
この発明は、上述のような課題を解決するためになされた。この発明の目的は、特定の照明器具から放射される光の調節を簡単に行うことができる照明制御システムを提供することである。また、この発明の他の目的は、このような機能を実現するための照明装置、携帯端末及び携帯端末の制御方法を提供することである。
更に、この発明の他の目的は、光によって送信される識別情報を利用し、待ち合わせの相手に、位置を特定するための情報を送信することができる携帯端末及び携帯端末の制御方法を提供することである。また、この発明の他の目的は、このような機能を実現するためのプログラムを提供することである。
【課題を解決するための手段】
【０００７】
この発明に係る照明制御システムは、照明器具から放射される光の照明としての制御条件を維持しながら光の強弱を変化させることにより、照明器具から識別情報を送信させる第１制御ユニットと、照明器具を表す識別情報を含む器具識別情報及び器具識別情報に対応した照明情報を受信する第２制御ユニットと、を備える。第１制御ユニットは、器具識別情報のうち照明器具を表す識別情報を第２制御ユニットが受信すると、第２制御ユニットが受信した照明情報に基づいて、照明器具の制御条件を調節する。
【０００８】
この発明に係る照明制御システムは、第１照明器具と、第２照明器具と、第１照明器具から放射される光を変化させることにより、第１照明器具から識別情報を送信させる第１制御ユニットと、識別情報及び識別情報に対応した照明情報を受信する第２制御ユニットと、を備える。第１制御ユニットは、第１照明器具を表す識別情報を第２制御ユニットが受信すると、第１照明器具を表す識別情報と共に第２制御ユニットが受信した照明情報に基づいて、第１照明器具及び第２照明器具の照明としての制御条件を調節する。
【０００９】
この発明に係る照明制御システムは、赤色光源、緑色光源、青色光源又は白色光源の少なくとも何れか一つの光源を有し、光源から放射される光を変化させることにより、光源から識別情報を送信させる発光器と、照明器具の制御条件を調節する第１制御ユニットと、識別情報及び識別情報に対応した照明器具の照明情報を受信する第２制御ユニットと、を備える。第１制御ユニットは、第２制御ユニットが識別情報を受信すると、第２制御ユニットが受信した照明情報に基づいて、制御条件を調節する。
【００１０】
この発明に係る照明制御システムは、赤色光源、緑色光源及び青色光源を有し、赤色光源から放射される光、緑色光源から放射される光及び青色光源から放射される光を変化させることにより、識別情報を送信する発光器と、照明器具の制御条件を調節する第１制御ユニットと、識別情報及び識別情報に対応した照明器具の照明情報を受信する第２制御ユニットと、を備える。第１制御ユニットは、第２制御ユニットが識別情報を受信すると、第２制御ユニットが受信した照明情報に基づいて、制御条件を調節する。
【００１１】
この発明に係る発光装置は、赤色光源、緑色光源、青色光源又は白色光源の少なくとも何れか一つの光源と、光源から放射される光を変化させることにより、光源から識別情報を送信させる第１制御ユニットと、識別情報及び識別情報に対応した照明器具の照明情報を受信する第２制御ユニットと、を備える。第１制御ユニットは、識別情報を第２制御ユニットが受信すると、第２制御ユニットが受信した照明情報に基づいて、照明器具の制御条件を調節する。
【００１２】
この発明に係る携帯端末は、光を受ける受光部と、受光部が受けた光に基づいて、識別情報を特定する特定部と、照明器具に対する照明情報を入力する入力部と、特定部が特定した識別情報及び入力部から入力された照明情報を送信し、照明器具の第１制御ユニットに照明器具の照明としての制御条件を調節させる送信部と、を備える。
【００１３】
この発明に係る携帯端末の制御方法は、光を受ける受光部が検知した情報を入力する入力ステップと、入力ステップで入力した情報から、光が持つ波長のうち特定波長の強度情報を抽出する抽出ステップと、強度情報に基づいて、制御対象の照明器具の識別情報を特定する特定ステップと、特定ステップで特定した照明器具を制御する制御情報を出力する出力ステップと、を備える。
【００１４】
この発明に係る携帯端末は、画像を取得するための受光部と、受光部が受けた光に基づいて、照明器具を表す識別情報を特定する特定部と、特定部が特定した識別情報を送信する送信部と、送信部が送信した識別情報に対する応答として、照明器具の位置を表す器具位置情報を受信する受信部と、を備える。送信部は、受信部が受信した器具位置情報と受光部によって取得された画像とを送信する。
【００１５】
この発明に係る携帯端末の制御方法は、照明器具からの光が当たる被照射物の画像を受光部によって取得する取得ステップと、受光部が受けた光に基づいて、照明器具を表す識別情報を特定する特定ステップと、特定ステップで特定した識別情報を送信する第１送信ステップと、第１送信ステップで送信した識別情報に対する応答として、照明器具の位置を表す器具位置情報を受信する受信ステップと、受信ステップで受信した器具位置情報と受光部によって取得された画像とを送信する第２送信ステップと、を備える。
【００１６】
この発明に係るプログラムは、受光部が受けた光に基づいて、照明器具を表す識別情報を特定する特定ステップと、特定ステップで特定した識別情報を送信する第１送信ステップと、第１送信ステップで送信した識別情報に対する応答として照明器具の位置を表す器具位置情報を受信すると、受信したその器具位置情報と受光部によって取得された画像とを送信する第２送信ステップと、をプロセッサに実行させるためのものである。
【発明の効果】
【００１７】
この発明に係る照明制御システムでは、照明器具から識別情報が送信される。また、照明器具を表す識別情報を第２制御ユニットが受信すると、第２制御ユニットが受信した照明情報に基づいて、照明器具の制御条件が調節される。この発明に係る照明制御システムであれば、特定の照明器具から放射される光の調節を簡単に行うことができる。
【００１８】
この発明に係る携帯端末では、送信部が送信した識別情報に対する応答として、受信部が照明器具の位置を表す器具位置情報を受信する。送信部は、受信部が受信した器具位置情報と受光部によって取得された画像とを送信する。この発明に係る携帯端末であれば、光によって送信される識別情報を利用し、待ち合わせの相手に、位置を特定するための情報を送信することができる。
【図面の簡単な説明】
【００１９】
【図１】この発明の実施の形態１における調光システムの例を示す図である。
【図２】照明器具及び制御ユニットの例を示す図である。
【図３】携帯端末の例を示す図である。
【図４】この発明の実施の形態１における調光システムの動作例を示すフローチャートである。
【図５】この発明の実施の形態１における調光システムの他の例を示す図である。
【図６】照明器具及び制御ユニットの他の例を示す図である。
【図７】照明器具及び制御ユニットの他の例を示す図である。
【図８】この発明の実施の形態２における調光システムの例を示す図である。
【図９】この発明の実施の形態３における調光システムの例を示す図である。
【図１０】この発明の実施の形態４における調光システムの例を示す図である。
【図１１】携帯端末の例を示す図である。
【図１２】この発明の実施の形態４における調光システムの動作例を示すフローチャートである。
【図１３】携帯端末の表示例を示す図である。
【図１４】携帯端末の表示例を示す図である。
【図１５】この発明の実施の形態４における調光システムの他の例を示す図である。
【発明を実施するための形態】
【００２０】
添付の図面を参照し、本発明を説明する。重複する説明は、適宜簡略化或いは省略する。各図において、同一の符号は同一の部分又は相当する部分を示す。
【００２１】
実施の形態１．
図１は、この発明の実施の形態１における調光システムの例を示す図である。調光システムは、例えば照明制御システム１、携帯端末２及び認証サーバ３を備える。照明制御システム１は、例えば照明器具４、制御ユニット５、制御端末６及び通信装置７を備える。
【００２２】
照明器具４は、光を放射する。照明器具４は、例えば、特定の被照射物を照らすために光を放射する。照明器具４は、特定の空間に向けて光を放射しても良い。図１は、鞄８を照らすために照明器具４が用いられる例を示す。照明器具４から放射された光は鞄８に当たる。鞄８に当たった光の一部は鞄８で反射する。また、照明器具４から放射された光は、鞄８が載せられた台９及び鞄８側を向く壁１０等にも当たる。台９に当たった光の一部は台９で反射する。壁１０に当たった光の一部は壁１０で反射する。図１では、このような反射光のうち携帯端末２に向かう光を矢印Ａで示している。
【００２３】
図２は、照明器具４及び制御ユニット５の例を示す図である。照明器具４は、例えば複数のＬＥＤ（Ｌｉｇｈｔ  Ｅｍｉｔｔｉｎｇ  Ｄｉｏｄｅ）を備える。図２に示す例では、照明器具４は、複数の赤色ＬＥＤ１１、複数の緑色ＬＥＤ１２及び複数の青色ＬＥＤ１３を備える。赤色ＬＥＤ１１は赤色光を放射する。緑色ＬＥＤ１２は緑色光を放射する。青色ＬＥＤ１３は青色光を放射する。
【００２４】
図２は、複数の赤色ＬＥＤ１１が直列で接続される例を示す。赤色ＬＥＤ１１は並列で接続されても良い。照明器具４は赤色ＬＥＤ１１を１つしか備えていなくても良い。図２は、複数の緑色ＬＥＤ１２が直列で接続される例を示す。緑色ＬＥＤ１２は並列で接続されても良い。照明器具４は緑色ＬＥＤ１２を１つしか備えていなくても良い。図２は、複数の青色ＬＥＤ１３が直列で接続される例を示す。青色ＬＥＤ１３は並列で接続されても良い。照明器具４は青色ＬＥＤ１３を１つしか備えていなくても良い。
【００２５】
制御ユニット５は、照明器具４を制御する。制御ユニット５は、例えば制御器５ａと電源装置５ｂとを備える。制御器５ａは、電源装置５ｂを制御する。照明器具４の制御は、制御器５ａが電源装置５ｂを制御することによって行われる。図１は、制御器５ａと電源装置５ｂとが独立した装置として存在し、信号線５ｃで接続される例を示す。制御器５ａは、電源装置５ｂと一体の装置であっても良い。かかる場合、例えば制御器５ａと電源装置５ｂとは一つの基板上に形成される。制御ユニット５は、特許請求の範囲における第１制御ユニットに対応する。
【００２６】
制御ユニット５は、照明器具４から光を放射させる。制御ユニット５は、例えば、赤色ＬＥＤ１１から赤色光を放射させる。制御ユニット５は、緑色ＬＥＤ１２から緑色光を放射させる。制御ユニット５は、青色ＬＥＤ１３から青色光を放射させる。制御ユニット５は、赤色ＬＥＤ１１、緑色ＬＥＤ１２及び青色ＬＥＤ１３を個別に制御できる。
【００２７】
制御ユニット５は、照明器具４から放射される光を調節する。「光を調節する」ことには、例えば光の強弱を変化させることが含まれる。「光を調節する」ことには、光の色を変化させることが含まれる。光を調節する方法は、どのような方法を採用しても良い。例えば、振幅制御を採用し、照明器具４から放射される光を調節しても良い。振幅制御では、ＬＥＤの直流電流を制御することによって明るさを調節する。また、ＰＷＭ（Ｐｕｌｓｅ  Ｗｉｄｔｈ  Ｍｏｄｕｌａｔｉｏｎ）制御を採用し、照明器具４から放射される光を調節しても良い。ＰＷＭ制御では、一定の周波数でＬＥＤをオン及びオフし、このオン時間の比率を制御することによって明るさを調節する。制御ユニット５は、例えば、赤色ＬＥＤ１１から放射される光を調節する。制御ユニット５は、緑色ＬＥＤ１２から放射される光を調節する。制御ユニット５は、青色ＬＥＤ１３から放射される光を調節する。制御ユニット５は、赤色ＬＥＤ１１から放射される光、緑色ＬＥＤ１２から放射される光及び青色ＬＥＤ１３から放射される光を個別に調節できる。
【００２８】
制御ユニット５は、照明器具４から特定の情報を送信させる。制御ユニット５は、例えば、照明器具４から放射される光の照明としての制御条件を維持しながら光の強弱を変化させることにより、照明器具４から識別情報を送信させる。「照明としての制御条件」は、例えば調光度、光色又は色温度の少なくとも何れか一つである。例えば、制御ユニット５は、照明器具４から放射される光の色温度をある基準値（又は、基準範囲）に保ったままその明るさを微小変動させることにより、照明器具４から識別情報を送信させる。識別情報は、照明器具４を特定するための情報である。照明器具４には固有の識別情報が予め割り当てられる。制御ユニット５は、例えば、赤色ＬＥＤ１１から放射される光、緑色ＬＥＤ１２から放射される光及び青色ＬＥＤ１３から放射される光を変化させることにより、照明器具４から識別情報を送信させる。照明器具４から識別情報を送信させるために光を変化させる方法は、どのような方法であっても良い。識別情報の送信には、種々の可視光通信技術が適用できる。
【００２９】
制御端末６は、外部から情報を受信する。制御端末６は、例えばネットワーク１５を介して情報を受信する。ネットワーク１５は、例えばインターネット回線である。制御端末６は、外部から情報を受信すると、受信した情報を通信装置７に送信する。制御端末６と通信装置７とは、照明制御用の通信線１６ａによって接続される。制御端末６と通信装置７とは無線接続されても良い。制御端末６は、特許請求の範囲における第２制御ユニットに対応する。
【００３０】
通信装置７は、制御端末６から情報を受信する。通信装置７は、制御端末６から情報を受信すると、受信した情報を制御ユニット５に送信する。通信装置７と制御ユニット５とは、例えば通信線１６ｂによって接続される。即ち、制御端末６から送信された情報は、通信装置７を介して制御ユニット５に受信される。
【００３１】
図１は、通信装置７に１つの制御ユニット５が接続される例を示す。通信装置７に複数の制御ユニット５が接続されても良い。かかる場合、各制御ユニット５に照明器具４が接続される。１つの制御ユニット５に複数の照明器具４が接続されても良い。制御端末６は、外部から情報を受信すると、受信した情報を通信装置７を介して該当する制御ユニット５に送信する。
【００３２】
図３は、携帯端末２の例を示す図である。携帯端末２は、スマートフォン等の情報通信端末でも良い。携帯端末２は、例えば受信部１７、受光部１８、特定部１９、入力部２０及び送信部２１を備える。
【００３３】
受信部１７は、外部から情報を受信する。受信部１７は、例えばネットワーク１５を介して情報を受信する。
【００３４】
受光部１８は、外部から光を受ける。受光部１８は、例えば撮像素子を備えたカメラである。撮像素子として、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）又はＣＣＤ（Ｃｈａｒｇｅ−Ｃｏｕｐｌｅｄ  Ｄｅｖｉｃｅ）が採用される。撮像素子として他の技術を採用しても良い。受光部１８は、例えば、照明器具４から放射された光のうち鞄８等で反射した光を受ける。
【００３５】
特定部１９は、識別情報を特定する。照明器具４から放射された光は、受光部１８によって携帯端末２に取り込まれる。特定部１９は、例えば、受光部１８が受けた光に基づいて識別情報を特定する。
【００３６】
入力部２０は、外部から情報を入力するために用いられる。入力部２０から情報を入力する方法は、どのような方法でも良い。入力部２０は、例えば釦を備えても良い。入力部２０は、タッチパネル式のセンサを備えても良い。入力部２０からは、例えば、照明器具４に対する照明情報が入力される。照明情報は、照明器具４から放射される光を調節するための情報である。照明情報は、例えば、照明器具４から放射される光の強弱を変化させるための調光情報である。照明情報は、照明器具４から放射される光の色を変化させるための調色情報であっても良い。照明情報は、調光情報及び調色情報の双方を含んでも良い。
【００３７】
送信部２１は、外部に情報を送信する。送信部２１は、例えばネットワーク１５を介して情報を送信する。例えば、送信部２１は、特定部１９が特定した識別情報を含む器具識別情報を認証サーバ３に送信する。また、送信部２１は、入力部２０から入力された照明情報を認証サーバ３に送信する。
【００３８】
認証サーバ３は、例えば携帯端末２から器具識別情報及び照明情報を受信すると、受信した器具識別情報及び照明情報を照明制御システム１に送信する。照明制御システム１では、制御端末６が器具識別情報及び照明情報を受信する。
【００３９】
次に、図４も参照し、調光システムで行われる一連の動作について説明する。図４は、この発明の実施の形態１における調光システムの動作例を示すフローチャートである。
【００４０】
照明制御システム１では、制御ユニット５が照明器具４を制御し、照明器具４から光を放射させる。また、制御ユニット５は、例えば照明器具４から放射される光の強弱を変えることにより、照明器具４から識別情報を送信させる（Ｓ１０１）。この時、制御ユニット５は、照明器具４から放射される光の照明としての制御条件を維持しながら光の強弱を変化させる。Ｓ１０１で照明器具４から送信される識別情報は、その照明器具４に割り当てられた固有の情報である。照明器具４から放射された光は、鞄８、台９及び壁１０等に当たり、反射する。
【００４１】
ここで、ある利用者が、商品或いは展示物である鞄８への光の当たり具合を変えたい場合を考える。この利用者は、携帯端末２の受光部１８で鞄８からの反射光を受ける（Ｓ１０２）。即ち、利用者は、自分のスマートフォンのカメラで鞄８を撮影する。
【００４２】
スマートフォン等の携帯端末２に備えられた撮像素子は、動画撮影する際のフレームレートが３０ｆｐｓであることが多い。このような携帯端末２を用いると、携帯端末２は、当然に鞄８を３０ｆｐｓで撮影する。識別情報を送信する際に制御ユニット５が携帯端末２のフレームレートに同期する周期で光の強弱を調節すれば、識別情報を効率的に送信することができる。上記例であれば、３０ｂｐｓの通信速度で携帯端末２に識別情報を送信できる。また、携帯端末２或いはデジタルカメラ等のデジタル機器で鞄８を撮影した際に、撮影された画像に縞模様が発生することを抑制できる。なお、制御ユニット５は、２４ｆｐｓ、６０ｆｐｓ或いは１２０ｆｐｓのフレームレートに同期する周期で光の強弱を調節しても良い。
【００４３】
特定部１９は、受光部１８が受けた鞄８からの反射光を解析し、照明器具４から送信された識別情報を特定する（Ｓ１０３）。特定部１９が識別情報を特定する方法は、どのような方法であっても良い。例えば、特定部１９は、受光部１８が受けた光のうち特定波長の光に基づいて、識別情報を特定しても良い。上記特定波長は、例えば、赤色光の波長（６６０ｎｍ）に対応する。特定波長は、緑色光の波長（５５５ｎｍ）に対応しても良い。特定波長は、青色光の波長（４６０ｎｍ）に対応しても良い。
【００４４】
例えば、受光部１８が光を受けると、受光部１８が検知した情報が特定部１９に入力される。特定部１９は、その入力された情報から、受光部１８が受けた光が持つ波長のうち特定波長の強度情報を抽出する。特定部１９は、例えば、赤色光の波長（６６０ｎｍ）の強度情報を抽出する。特定部１９は、抽出した強度情報に基づいて、照明器具４から送信された識別情報を特定する。
【００４５】
特定部１９によって識別情報が特定されると、携帯端末２の表示器に照明情報を入力するための画面が表示される。利用者は、画面に表示される案内に従い、入力部２０から照明器具４に対する照明情報を入力する（Ｓ１０４）。照明情報は、照明器具４を制御するための情報である。送信部２１は、Ｓ１０３で特定された識別情報を含む器具識別情報とＳ１０４で入力された照明情報とを認証サーバ３に送信する（Ｓ１０５）。携帯端末２は、例えば照明情報の入力に必要な情報を取得するために、照明情報の送信を行うまでに認証サーバ３との間で複数回の情報の送受信を行っても良い。また、携帯端末２から認証サーバ３に器具識別情報及び照明情報を送信するために、図１に示されていない他の装置を介在させても良い。
【００４６】
携帯端末２から送信された器具識別情報及び照明情報は、認証サーバ３によって受信される。認証サーバ３は、携帯端末２から受信した器具識別情報及び照明情報を照明制御システム１に送信する（Ｓ１０６）。
【００４７】
照明制御システム１では、器具識別情報及び照明情報を受信したか否かを制御端末６が一定の周期で判定する。認証サーバ３から送信された器具識別情報及び照明情報は、制御端末６によって受信される。制御端末６は、器具識別情報及びこの器具識別情報（識別情報）に対応した照明情報を受信すると、該当する制御ユニット５に照明情報を送信する（Ｓ１０７）。即ち、制御端末６は、ある照明器具４を表す識別情報を受信すると、その照明器具４を制御する制御ユニット５に対し、その識別情報と共に受信した照明情報を送信する。制御ユニット５は、制御端末６から照明情報を受信すると、受信した照明情報に基づいて照明器具４の制御条件を調節する。即ち、制御ユニット５は、制御端末６から照明情報を受信すると、受信した照明情報に基づいて照明器具４から放射される光を調節する（Ｓ１０８）。
【００４８】
本照明制御システム１では、照明器具４から識別情報が送信される。また、照明器具４を表す識別情報を制御端末６が受信すると、その識別情報と共に制御端末６が受信した照明情報に基づいて、照明器具４から放射される光が調節される。利用者は、例えば自分のスマートフォンで照明器具４の識別情報を取得し、その照明器具４に対する照明情報を送信できる。このため、利用者は、照明器具４の近く、即ち上記反射光が届く範囲で簡単に光の調節を行うことができる。
【００４９】
本照明制御システム１では、識別情報によって照明器具４を特定できる。このため、複数の照明器具４が備えられている場合でも、光の調節を照明器具４毎に簡単に行うことができる。本照明制御システム１では、従来のように、照明器具４を特定するための多数の釦或いは多数のスイッチを備える必要はない。
【００５０】
既存のシステムを可能な限り活用して本調光システムを構築するのであれば、認証サーバ３と制御端末６とはインターネット回線で接続されることが望ましい。但し、認証サーバ３と制御端末６とは有線で接続されても良い。また、一つの装置に認証サーバ３の機能と制御端末６の機能とを含めても良い。
【００５１】
図５は、この発明の実施の形態１における調光システムの他の例を示す図である。図５は、照明器具４が特定の空間に向けて光を放射する例を示す。例えば、照明器具４は、飲食店の個室に向けて光を放射する。このような場合、利用者は、携帯端末２の受光部１８で照明器具４からの光を直接受けても良い。例えば、利用者は、自分のスマートフォンのカメラで照明器具４を撮影することにより、照明器具４からの直接光を携帯端末２に取り込む。利用者は、照明器具４からの光が当たっている壁１０等を自分のスマートフォンのカメラで撮影しても良い。
【００５２】
スマートフォンのカメラに備えられている受光素子を考慮すると、照明器具４は３色（ＲＧＢ）のＬＥＤ、即ち赤色ＬＥＤ１１、緑色ＬＥＤ１２及び青色ＬＥＤ１３を備えることが望ましい。照明器具４が３色のＬＥＤを備えていれば、通信速度を向上させることができる。但し、照明器具４が赤色ＬＥＤ１１、緑色ＬＥＤ１２又は青色ＬＥＤ１３の少なくとも何れか一つのＬＥＤを備えていれば、上記調光システムを構築することは可能である。例えば、照明器具４は、赤色ＬＥＤ１１のみを備え、緑色ＬＥＤ１２及び青色ＬＥＤ１３を備えていなくても良い。照明器具４は、緑色ＬＥＤ１２及び青色ＬＥＤ１３を備え、赤色ＬＥＤ１１を備えていなくても良い。かかる場合、制御ユニット５は、照明器具４に備えられているＬＥＤから放射される光の強弱を変化させることにより、照明器具４から識別情報を送信させる。
【００５３】
図６は、照明器具４及び制御ユニット５の他の例を示す図である。図６は、照明器具４が複数の赤色ＬＥＤ１１、複数の緑色ＬＥＤ１２及び複数の青色ＬＥＤ１３に加え、複数の白色ＬＥＤ２２を備える例を示す。白色ＬＥＤ２２は、白色光を放射する。図６は、複数の白色ＬＥＤ２２が直列で接続される例を示す。白色ＬＥＤ２２は並列で接続されても良い。照明器具４は白色ＬＥＤ２２を１つしか備えていなくても良い。白色ＬＥＤ２２は、制御ユニット５によって制御される。
【００５４】
照明器具４が３色（ＲＧＢ）のＬＥＤしか備えていない場合、照明器具４が白色ＬＥＤ２２を備える場合と比較して色再現性が低下する。照明器具４が白色ＬＥＤ２２を備えることにより、色再現性を向上させることができる。照明器具４は、ＲＧＢのうちの１色のＬＥＤと白色ＬＥＤ２２とを備えても良い。照明器具４は、ＲＧＢのうちの２色のＬＥＤと白色ＬＥＤ２２とを備えても良い。
【００５５】
照明器具４が白色ＬＥＤ２２を備える場合、制御ユニット５は、例えば白色ＬＥＤ２２以外のＬＥＤから放射される光の強弱を変化させることにより、照明器具４から識別情報を送信させる。例えば、制御ユニット５は、照明器具４から放射される全体の光の照明としての制御条件を維持しながら、赤色ＬＥＤ１１から放射される光、緑色ＬＥＤ１２から放射される光及び青色ＬＥＤ１３から放射される光の強弱を変化させる。これにより、照明器具４から識別情報を送信させる。また、制御ユニット５は、例えばある照明器具４を表す識別情報を制御端末６が受信すると、その識別情報と共に制御端末６が受信した照明情報に基づいて、その照明器具４に備えられた白色ＬＥＤ２２から放射される光の調光度を調節する。この時、制御ユニット５は、制御端末６が受信した照明情報に基づいて、その照明器具４に備えられた白色ＬＥＤ２２から放射される光と白色ＬＥＤ２２以外のＬＥＤから放射される光との双方の調光度を調節しても良い。例えば、制御ユニット５は、制御端末６が受信した照明情報に基づいて、赤色ＬＥＤ１１から放射される光、緑色ＬＥＤ１２から放射される光、青色ＬＥＤ１３から放射される光及び白色ＬＥＤ２２から放射される光の調光度を調節する。
【００５６】
図７は、照明器具４及び制御ユニット５の他の例を示す図である。図７は、照明器具４が複数の白色ＬＥＤ２２を備える例を示す。照明器具４は、赤色ＬＥＤ１１、緑色ＬＥＤ１２及び青色ＬＥＤ１３を備えていない。図７は、複数の白色ＬＥＤ２２が直列で接続される例を示す。白色ＬＥＤ２２は並列で接続されても良い。照明器具４は白色ＬＥＤ２２を１つしか備えていなくても良い。
【００５７】
照明器具４が白色ＬＥＤ２２のみを備える場合、制御ユニット５は、白色ＬＥＤ２２から放射される光の照明としての制御条件を維持しながら光の強弱を変化させることにより、照明器具４から識別情報を送信させる。また、制御ユニット５は、例えばある照明器具４を表す識別情報を制御端末６が受信すると、その識別情報と共に制御端末６が受信した照明情報に基づいて、その照明器具４に備えられた白色ＬＥＤ２２から放射される光の調光度を調節する。なお、白色ＬＥＤ２２から放射される光には、波長６６０ｎｍの光、波長５５５ｎｍの光及び波長４６０ｎｍの光が含まれる。このため、携帯端末２では、抽出した特定波長の強度情報に基づいて識別情報を特定することができる。
【００５８】
本実施の形態では、照明器具４がＬＥＤを備える例について具体的な説明を行った。照明器具４は、ＬＥＤ以外の光源を備えても良い。例えば、照明器具４は、有機ＥＬ（Ｅｌｅｃｔｒｏｌｕｍｉｎｅｓｃｅｎｃｅ）等の光源を備えても良い。
【００５９】
実施の形態２．
図８は、この発明の実施の形態２における調光システムの例を示す図である。本実施の形態に示す例では、照明制御システム１は、例えば照明器具４、制御ユニット５、制御端末６及び通信装置７に加え、照明器具２３を備える。図８は、照明制御システム１が２台の照明器具２３を備える例を示す。照明制御システム１は、３台以上の照明器具２３を備えても良い。照明制御システム１は、１台の照明器具２３を備えても良い。また、照明制御システム１は、複数台の制御ユニット５と複数台の照明器具４とを備えても良い。
【００６０】
照明器具４は、光を放射する。照明器具４は、例えば、特定の被照射物を照らすために光を放射する。照明器具４は、特定の空間に向けて光を放射しても良い。照明器具４は、例えば図２に示すように、複数の赤色ＬＥＤ１１、複数の緑色ＬＥＤ１２及び複数の青色ＬＥＤ１３を備える。
【００６１】
照明器具２３は、光を放射する。照明器具２３は、例えば、特定の被照射物を照らすために光を放射する。照明器具２３は、特定の空間に向けて光を放射しても良い。図８は、鞄８を照らすために照明器具２３が用いられる例を示す。照明器具２３から放射された光は鞄８に当たる。図８は、照明器具４からの光が当たる被照射物と照明器具２３からの光が当たる被照射物とが同じ鞄８である例を示す。照明器具２３は、例えば複数の白色ＬＥＤ２２を備える。照明器具２３は、他の色のＬＥＤを備えても良い。照明器具２３は、複数の色のＬＥＤを備えても良い。照明器具２３は、ＬＥＤ以外の光源を備えても良い。
【００６２】
制御ユニット５は、照明器具４を制御する。例えば、制御ユニット５は、照明器具４から光を放射させる。制御ユニット５は、照明器具４から放射される光を調節する。また、制御ユニット５は、照明器具４から特定の情報を送信させる。制御ユニット５は、例えば、照明器具４から放射される光の照明としての制御条件を維持しながら光の強弱を変化させることにより、照明器具４から識別情報を送信させる。照明器具４が３色（ＲＧＢ）のＬＥＤを備える場合、制御ユニット５は、赤色ＬＥＤ１１から放射される光、緑色ＬＥＤ１２から放射される光及び青色ＬＥＤ１３から放射される光の強弱を変化させることにより、照明器具４から識別情報を送信させる。
【００６３】
制御ユニット５は、照明器具２３を制御する。例えば、制御ユニット５は、照明器具２３から光を放射させる。制御ユニット５は、例えば、白色ＬＥＤ２２から白色光を放射させる。また、制御ユニット５は、照明器具２３から放射される光を調節する。本実施の形態において照明器具２３は照明用であり、可視光通信用としては用いられない。即ち、照明器具２３から識別情報は送信されない。
【００６４】
本実施の形態における照明制御システム１では、制御端末６は、器具識別情報及びこの器具識別情報（識別情報）に対応した照明情報を受信すると、該当する制御ユニット５に照明情報を送信する。即ち、制御端末６は、ある照明器具４を表す識別情報を受信すると、その照明器具４を制御する制御ユニット５に対し、その識別情報と共に受信した照明情報を送信する。制御ユニット５は、制御端末６から照明情報を受信すると、受信した照明情報に基づいて照明器具４の制御条件を調節する。即ち、制御ユニット５は、制御端末６から照明情報を受信すると、受信した照明情報に基づいて照明器具４から放射される光の調光度を調節する。また、制御ユニット５は、制御端末６から照明情報を受信すると、受信した照明情報に基づいて照明器具２３の制御条件を調節する。即ち、制御ユニット５は、制御端末６から照明情報を受信すると、受信した照明情報に基づいて照明器具２３から放射される光の調光度を調節する。即ち、制御ユニット５は、制御端末６から照明情報を受信すると、照明器具４及び照明器具２３の双方を制御して鞄８に当たる光を調節する。
【００６５】
本照明制御システム１では、照明器具４を表す識別情報を制御端末６が受信すると、照明器具４から放射される光と照明器具２３から放射される光との双方が調節される。照明専用として用いられる照明器具２３を備えているため、色再現性を向上させることができる。
【００６６】
実施の形態１でも説明したように、照明器具４は、必ずしも３色のＬＥＤを備える必要はない。照明器具４が赤色ＬＥＤ１１、緑色ＬＥＤ１２又は青色ＬＥＤ１３の少なくとも何れか一つのＬＥＤを備えていれば、本調光システムを構築することは可能である。かかる場合、制御ユニット５は、照明器具４に備えられているＬＥＤから放射される光の強弱を変化させることにより、照明器具４から識別情報を送信させる。
【００６７】
照明器具４は、３色のＬＥＤに加え、白色ＬＥＤ２２を備えても良い。照明器具４は、ＲＧＢのうちの１色のＬＥＤと白色ＬＥＤ２２とを備えても良い。照明器具４は、ＲＧＢのうちの２色のＬＥＤと白色ＬＥＤ２２とを備えても良い。
【００６８】
照明器具４が白色ＬＥＤ２２を備える場合、制御ユニット５は、例えば白色ＬＥＤ２２以外のＬＥＤから放射される光の強弱を変化させることにより、照明器具４から識別情報を送信させる。例えば、制御ユニット５は、照明器具４から放射される全体の光の照明としての制御条件を維持しながら、赤色ＬＥＤ１１から放射される光、緑色ＬＥＤ１２から放射される光及び青色ＬＥＤ１３から放射される光の強弱を変化させる。これにより、照明器具４から識別情報を送信させる。また、制御ユニット５は、例えばある照明器具４を表す識別情報を制御端末６が受信すると、その識別情報と共に制御端末６が受信した照明情報に基づいて、その照明器具４に備えられた白色ＬＥＤ２２から放射される光の調光度を調節する。この時、制御ユニット５は、制御端末６が受信した照明情報に基づいて、その照明器具４に備えられた白色ＬＥＤ２２から放射される光と白色ＬＥＤ２２以外のＬＥＤから放射される光との双方の調光度を調節しても良い。
【００６９】
照明器具４は白色ＬＥＤ２２のみを備えても良い。照明器具４は、赤色ＬＥＤ１１、緑色ＬＥＤ１２及び青色ＬＥＤ１３を備えなくても良い。照明器具４が白色ＬＥＤ２２のみを備える場合、制御ユニット５は、白色ＬＥＤ２２から放射される光の照明としての制御条件を維持しながら光の強弱を変化させることにより、照明器具４から識別情報を送信させる。また、制御ユニット５は、例えばある照明器具４を表す識別情報を制御端末６が受信すると、その識別情報と共に制御端末６が受信した照明情報に基づいて、その照明器具４に備えられた白色ＬＥＤ２２から放射される光の調光度を調節する。
【００７０】
本実施の形態では、照明器具４がＬＥＤを備える例について具体的な説明を行った。照明器具４は、ＬＥＤ以外の光源を備えても良い。例えば、照明器具４は、有機ＥＬ等の光源を備えても良い。
【００７１】
本実施の形態で開示しない調光システムの特徴については、実施の形態１で開示した何れかの特徴と同じである。
【００７２】
実施の形態３．
図９は、この発明の実施の形態３における調光システムの例を示す図である。本実施の形態に示す例では、照明制御システム１は、例えば照明器具２３、制御ユニット５、制御端末６及び通信装置７に加え、発光器２４を備える。実施の形態１における照明制御システム１では、照明用及び可視光通信用として照明器具４が備えられる。実施の形態２における照明制御システム１では、照明用及び可視光通信用として照明器具４が、照明用として照明器具２３が備えられる。本実施の形態における照明制御システム１では、照明用として照明器具２３が備えられる。また、本照明制御システム１では、可視光通信用として発光器２４が備えられる。発光器２４は、照明用としては用いられない。
【００７３】
照明器具２３は、光を放射する。照明器具２３は、例えば、特定の被照射物を照らすために光を放射する。照明器具２３は、特定の空間に向けて光を放射しても良い。図９は、鞄８を照らすために照明器具２３が用いられる例を示す。照明器具２３から放射された光は鞄８に当たる。照明器具２３は、例えば複数の白色ＬＥＤ２２を備える。照明器具２３は、他の色のＬＥＤを備えても良い。照明器具２３は、複数の色のＬＥＤを備えても良い。照明器具２３は、ＬＥＤ以外の光源を備えても良い。
【００７４】
発光器２４は、光を放射する。図９は、鞄８が載せられた台９に発光器２４が設けられる例を示す。照明器具２３から放射された光は、この台９に載せられた鞄８に当たる。発光器２４自体に照明器具２３からの光が当たっても良い。発光器２４は、例えば赤色ＬＥＤ１１、緑色ＬＥＤ１２及び青色ＬＥＤ１３を備える。
【００７５】
例えば、発光器２４の赤色ＬＥＤ１１は赤色光を放射する。発光器２４の緑色ＬＥＤ１２は緑色光を放射する。発光器２４の青色ＬＥＤ１３は青色光を放射する。発光器２４に備えられた赤色ＬＥＤ１１、緑色ＬＥＤ１２及び青色ＬＥＤ１３は、個別に制御される。
【００７６】
発光器２４は特定の情報を送信する。例えば、発光器２４は、放射する光の強弱を変化させることにより、識別情報を送信する。本実施の形態において、識別情報は、照明器具２３を特定するための情報である。照明器具２３には固有の識別情報が予め割り当てられる。発光器２４は、例えば、赤色ＬＥＤ１１から放射される光、緑色ＬＥＤ１２から放射される光及び青色ＬＥＤ１３から放射される光の強弱を変化させることにより、照明器具２３を表す識別情報を送信する。発光器２４から識別情報を送信するために光を変化させる方法は、どのような方法であっても良い。識別情報の送信には、種々の可視光通信技術が適用できる。
【００７７】
制御ユニット５は、照明器具２３を制御する。例えば、制御ユニット５は、照明器具２３から光を放射させる。制御ユニット５は、例えば、白色ＬＥＤ２２から白色光を放射させる。また、制御ユニット５は、照明器具２３の制御条件を調節する。例えば、制御ユニット５は、照明器具２３から放射される光の調光度を調節する。照明器具２３は照明用であり、可視光通信用としては用いられない。
【００７８】
本実施の形態における照明制御システム１では、制御端末６は、器具識別情報及びこの器具識別情報（識別情報）に対応した照明情報を受信すると、該当する制御ユニット５に照明情報を送信する。即ち、制御端末６は、発光器２４が発信した照明器具２３を表す識別情報を受信すると、その照明器具２３を制御する制御ユニット５に対し、その識別情報と共に受信した照明情報を送信する。制御ユニット５は、制御端末６から照明情報を受信すると、受信した照明情報に基づいて照明器具２３の制御条件を調節する。即ち、制御ユニット５は、制御端末６から照明情報を受信すると、受信した照明情報に基づいて照明器具２３から放射される光を調節する。即ち、制御ユニット５は、制御端末６から照明情報を受信すると、照明器具２３を制御して鞄８に当たる光を調節する。
【００７９】
本照明制御システム１では、発光器２４が発信した照明器具２３を表す識別情報を制御端末６が受信すると、その識別情報と共に制御端末６が受信した照明情報に基づいて、照明器具２３から放射される光が調節される。可視光通信専用の発光器２４を用いても、実施の形態１及び２と同様の効果が期待できる。なお、発光器２４の設置位置は、照明器具２３からの光が携帯端末２に取り込まれる際に発光器２４からの光も携帯端末２に取り込まれるように設定すれば良い。例えば、図８に示す照明制御システム１の照明器具４の位置に発光器２４を設置しても同様の効果が期待できる。
【００８０】
実施の形態１で開示した照明器具４と同様に、発光器２４は、必ずしも３色のＬＥＤを備える必要はない。発光器２４が赤色ＬＥＤ１１、緑色ＬＥＤ１２又は青色ＬＥＤ１３の少なくとも何れか一つのＬＥＤを備えていれば、本調光システムを構築することは可能である。かかる場合、発光器２４は、備えているＬＥＤから放射される光の強弱を変化させることにより、照明器具２３を表す識別情報を送信する。
【００８１】
発光器２４は白色ＬＥＤ２２のみを備えても良い。発光器２４は、赤色ＬＥＤ１１、緑色ＬＥＤ１２及び青色ＬＥＤ１３を備えなくても良い。発光器２４は、白色ＬＥＤ２２のみを備える場合、白色ＬＥＤ２２から放射される光の強弱を変化させることにより、照明器具２３を表す識別情報を送信する。
【００８２】
本実施の形態では、発光器２４がＬＥＤを備える例について具体的な説明を行った。発光器２４は、ＬＥＤ以外の光源を備えても良い。例えば、発光器２４は、有機ＥＬ等の光源を備えても良い。
【００８３】
本実施の形態で開示しない調光システムの特徴については、実施の形態１或いは２で開示した何れかの特徴と同じである。
【００８４】
実施の形態４．
図１０は、この発明の実施の形態４における調光システムの例を示す図である。調光システムは、例えば照明制御システム１、携帯端末２及び認証サーバ３を備える。照明制御システム１は、例えば照明器具４、制御ユニット５、制御端末６及び通信装置７を備える。本実施の形態に示す調光システムは、実施の形態１で開示した全ての機能を備える。更に、本実施の形態に示す調光システムは、待ち合わせの相手に、位置を特定するための情報を送信する機能を備える。以下に、本システムが有する特有の機能について詳しく説明する。
【００８５】
照明器具４は、光を放射する。照明器具４は、例えば、特定の被照射物を照らすために光を放射する。照明器具４は、特定の空間に向けて光を放射しても良い。図１０は、ある芸術家が創作した創作物２５を照らすために照明器具４が用いられる例を示す。照明器具４から放射された光は創作物２５に当たる。創作物２５に当たった光の一部は創作物２５で反射する。また、照明器具４から放射された光は、創作物２５が載せられた台２６及び創作物２５側を向く壁１０等にも当たる。台２６に当たった光の一部は台２６で反射する。壁１０に当たった光の一部は壁１０で反射する。図１０では、このような反射光のうち携帯端末２に向かう光を矢印Ａで示している。照明器具４は、例えば図２に示すように、複数の赤色ＬＥＤ１１、複数の緑色ＬＥＤ１２及び複数の青色ＬＥＤ１３を備える。
【００８６】
制御ユニット５は、照明器具４を制御する。例えば、制御ユニット５は、照明器具４から光を放射させる。制御ユニット５は、照明器具４から放射される光を調節する。また、制御ユニット５は、照明器具４から特定の情報を送信させる。制御ユニット５は、例えば、照明器具４から放射される光の照明としての制御条件を維持しながら光の強弱を変化させることにより、照明器具４から識別情報を送信させる。照明器具４が３色のＬＥＤを備える場合、制御ユニット５は、赤色ＬＥＤ１１から放射される光、緑色ＬＥＤ１２から放射される光及び青色ＬＥＤ１３から放射される光の少なくとも何れか一つの光を変化させることにより、照明器具４から識別情報を送信させる。
【００８７】
図１１は、携帯端末２の例を示す図である。携帯端末２は、例えば受信部１７、受光部１８、特定部１９、入力部２０及び送信部２１に加え、表示部２７を備える。受信部１７、受光部１８、特定部１９、入力部２０及び送信部２１に関しては、実施の形態１で開示した機能を全て備える。更に、本実施の形態に示す例では、受光部１８は、画像を取得するために用いられる。受光部１８によって画像が取得される際に、照明器具４から放射された光の一部が受光部１８によって携帯端末２に取り込まれる。表示部２７は情報を表示する。
【００８８】
次に、図１２も参照し、本調光システムで行われる一連の動作について説明する。図１２は、この発明の実施の形態４における調光システムの動作例を示すフローチャートである。以下においては、携帯端末２の所有者と携帯端末２８の所有者とが待ち合わせをしている例について説明する。携帯端末２８は、例えばスマートフォン等の情報通信端末である。
【００８９】
照明制御システム１では、制御ユニット５が照明器具４を制御し、照明器具４から光を放射させる。また、制御ユニット５は、例えば照明器具４から放射される光の強弱を変えることにより、照明器具４から識別情報を送信させる（Ｓ２０１）。Ｓ２０１で照明器具４から送信される識別情報は、その照明器具４に割り当てられた固有の情報である。即ち、識別情報は照明器具４を表す。照明器具４から放射された光は、創作物２５、台２６及び壁１０等に当たり、反射する。
【００９０】
例えば、携帯端末２の所有者と携帯端末２８の所有者の待ち合わせ場所が創作物２５の前である場合を考える。また、携帯端末２の所有者が待ち合わせ場所に先に到着したとする。携帯端末２の所有者は、待ち合わせ場所に到着すると、携帯端末２に備えられているカメラで、待ち合わせ場所の目印となる創作物２５を撮影する（Ｓ２０２）。これにより、受光部１８によって創作物２５の画像が取得される。また、受光部１８は、照明器具４から放射された光を受ける。
【００９１】
特定部１９は、受光部１８が受けた光を解析し、照明器具４から送信された識別情報を特定する（Ｓ２０３）。特定部１９が識別情報を特定する方法は、どのような方法であっても良い。例えば、特定部１９は、受光部１８が受けた光のうち特定波長の光に基づいて、識別情報を特定しても良い。上記特定波長は、例えば、赤色光の波長に対応する。特定波長は、緑色光の波長に対応しても良い。特定波長は、青色光の波長に対応しても良い。
【００９２】
例えば、受光部１８が光を受けると、受光部１８が検知した情報が特定部１９に入力される。特定部１９は、その入力された情報から、受光部１８が受けた光が持つ波長のうち特定波長の強度情報を抽出する。特定部１９は、例えば、赤色光の波長の強度情報を抽出する。特定部１９は、抽出した強度情報に基づいて、照明器具４から送信された識別情報を特定する。
【００９３】
特定部１９によって識別情報が特定されると、送信部２１は、Ｓ２０３で特定された識別情報を含む器具識別情報を認証サーバ３に送信する（Ｓ２０４）。送信部２１は、Ｓ２０４において、図１０に示されていない他の装置を介して器具識別情報を認証サーバ３に送信しても良い。
【００９４】
携帯端末２から送信された器具識別情報は、認証サーバ３によって受信される。携帯端末２は、Ｓ２０４で器具識別情報を送信すると、その応答として、照明器具４の位置を表す器具位置情報を受信する。器具位置情報には、例えば、地図とその地図上で照明器具４がどこにあるのかを示す情報とが含まれる。照明器具４が建物内に存在する場合は、その建物のフロアマップとそのフロアマップ上で照明器具４がどこにあるのかを示す情報とが器具位置情報に含まれても良い。器具位置情報に他の情報が含まれても良い。
【００９５】
例えば、認証サーバ３に、照明器具４の識別情報と照明器具４の器具位置情報とが紐付けて記憶される。かかる場合、認証サーバ３は、携帯端末２から照明器具４の器具識別情報を受信すると、その受信した器具識別情報に基づいて照明器具４の器具位置情報を特定することができる（Ｓ２０５のＹｅｓ）。認証サーバ３は、受信した器具識別情報に基づいて照明器具４の器具位置情報を特定すると、特定した器具位置情報を携帯端末２に送信する（Ｓ２０９）。携帯端末２では、送信部２１が送信した照明器具４の器具識別情報に対する応答として、受信部１７が照明器具４の器具位置情報を認証サーバ３から受信する。
【００９６】
認証サーバ３に、照明器具４の識別情報と照明器具４からの光が当たる被照射物の詳細情報とが紐付けて記憶されても良い。本実施の形態に示す例では、被照射物は創作物２５である。かかる場合、例えば創作者の氏名、創作者の経歴及び創作物２５が表現する内容等の情報が被照射物の詳細情報として認証サーバ３に記憶される。例えば、認証サーバ３は、携帯端末２から照明器具４の器具識別情報を受信すると、その受信した器具識別情報に基づいて創作物２５の詳細情報を特定する。認証サーバ３は、受信した器具識別情報に基づいて創作物２５の詳細情報を特定すると、特定した詳細情報を器具位置情報とともに携帯端末２に送信する（Ｓ２０９）。携帯端末２では、送信部２１が送信した照明器具４の器具識別情報に対する応答として、受信部１７が照明器具４の器具位置情報と創作物２５の詳細情報とを認証サーバ３から受信する。
【００９７】
上記は、器具位置情報及び被照射物の詳細情報が認証サーバ３に記憶される例である。認証サーバ３は、照明器具４を備えた照明制御システム１と通信が可能である。照明制御システム１に、照明器具４の識別情報と照明器具４の器具位置情報とが紐付けて記憶されても良い。かかる場合、認証サーバ３は、携帯端末２から照明器具４の器具識別情報を受信しても、その受信した器具識別情報に基づいて照明器具４の器具位置情報を特定することはできない（Ｓ２０５のＮｏ）。認証サーバ３は、携帯端末２から照明器具４の器具識別情報を受信すると、照明器具４の器具位置情報を取得するために、受信した器具識別情報を照明制御システム１に送信する（Ｓ２０６）。
【００９８】
認証サーバ３から送信された照明器具４の器具識別情報は、照明制御システム１において制御端末６によって受信される。制御端末６は、認証サーバ３から照明器具４の器具識別情報を受信すると、その受信した器具識別情報に基づいて照明器具４の器具位置情報を特定する（Ｓ２０７）。制御端末６は、受信した器具識別情報に基づいて照明器具４の器具位置情報を特定すると、特定した器具位置情報を認証サーバ３に送信する（Ｓ２０８）。認証サーバ３は、照明制御システム１から照明器具４の器具位置情報を受信すると、受信した器具位置情報を携帯端末２に送信する（Ｓ２０９）。携帯端末２では、送信部２１が送信した照明器具４の器具識別情報に対する応答として、受信部１７が照明器具４の器具位置情報を認証サーバ３から受信する。
【００９９】
同様に、照明制御システム１に、照明器具４の識別情報と照明器具４からの光が当たる被照射物の詳細情報とが紐付けて記憶されても良い。かかる場合、認証サーバ３は、携帯端末２から照明器具４の器具識別情報を受信すると、被照射物の詳細情報を取得するために、受信した器具識別情報を照明制御システム１に送信する。
【０１００】
認証サーバ３から送信された照明器具４の器具識別情報は、照明制御システム１において制御端末６によって受信される。制御端末６は、認証サーバ３から照明器具４の器具識別情報を受信すると、その受信した器具識別情報に基づいて被照射物の詳細情報を特定する。本実施の形態に示す例であれば、制御端末６は、創作物２５の詳細情報を特定する。制御端末６は、受信した器具識別情報に基づいて創作物２５の詳細情報を特定すると、特定した詳細情報を認証サーバ３に送信する。認証サーバ３は、照明制御システム１から創作物２５の詳細情報を受信すると、受信した詳細情報を携帯端末２に送信する。携帯端末２では、送信部２１が送信した照明器具４の器具識別情報に対する応答として、受信部１７が照明器具４の器具位置情報と創作物２５の詳細情報とを認証サーバ３から受信する。
【０１０１】
認証サーバ３は、器具位置情報のみを照明制御システム１から取得しても良い。認証サーバ３は、被照射物の詳細情報のみを照明制御システム１から取得しても良い。認証サーバ３は、器具位置情報及び被照射物の詳細情報の双方を照明制御システム１から取得しても良い。
【０１０２】
受信部１７が認証サーバ３から照明器具４の器具位置情報を受信すると、送信部２１は、認証サーバ３から受信した器具位置情報とＳ２０２において受光部１８によって取得された創作物２５の画像とを携帯端末２８に送信する（Ｓ２１０）。携帯端末２から携帯端末２８への情報の送信は、メール機能を用いても良いしメッセージ機能を用いても良い。他の通信機能を用いて上記情報の送信を行っても良い。
【０１０３】
携帯端末２８は、例えば表示部を備える。携帯端末２８では、携帯端末２から照明器具４の器具位置情報と創作物２５の画像とを受信すると、表示部がそれらの情報を表示する（Ｓ２１１）。図１３は、携帯端末２８の表示例を示す図である。図１３（ａ）は、携帯端末２８に表示された器具位置情報の例を示す。図１３（ａ）は、建物のフロアマップとそのフロアマップ上で照明器具４がどこにあるのかを示す情報とが携帯端末２８に表示される例を示す。図１３（ａ）に示す例では、照明器具４の位置が星印で示されている。携帯端末２８の所有者は、表示された器具位置情報を見ることにより、フロアマップ上で待ち合わせ場所を確認することができる。
【０１０４】
図１３（ｂ）は、携帯端末２８に表示された創作物２５の画像の例を示す。携帯端末２８の所有者は、例えば図１３（ａ）に示す状態から画面をスクロールさせることにより、創作物２５の画像を表示させることができる。携帯端末２８の所有者は、表示された創作物２５の画像を見ることにより、器具位置情報からだけでは知ることができない待ち合わせ場所の実際の画像を確認することができる。
【０１０５】
送信部２１が器具位置情報と創作物２５の画像とを携帯端末２８に送信すると、表示部２７は、受信部１７が認証サーバ３から受信した創作物２５の詳細情報とＳ２０２において受光部１８によって取得された創作物２５の画像とを表示する（Ｓ２１２）。図１４は、携帯端末２の表示例を示す図である。図１４（ａ）は、携帯端末２に表示された創作物２５の画像の例を示す。図１４（ｂ）は、携帯端末２に表示された創作物２５詳細情報の例を示す。携帯端末２の所有者は、例えば図１４（ａ）に示す状態から画面をスクロールさせることにより、創作物２５の詳細情報を表示させることができる。
【０１０６】
携帯端末２の所有者は、携帯端末２８の所有者より先に待ち合わせ場所に到着している。携帯端末２の所有者は、表示部２７に表示された内容を見て、携帯端末２８の所有者が到着するのを待つことができる。なお、大型の商業施設では、照明器具４からの光を店舗の商品に当てても良い。かかる場合、Ｓ２１２において商品の画像と商品の詳細情報とが携帯端末２に表示される。携帯端末２を宣伝媒体として活用でき、商品の売り上げに貢献できる。
【０１０７】
本実施の形態に示す例であれば、光によって送信される識別情報を利用し、待ち合わせの相手に、位置を特定するための情報を送信することができる。
【０１０８】
本実施の形態で開示しない調光システムの特徴については、実施の形態１で開示した何れの特徴を採用しても良い。本実施の形態で開示しない特徴については、実施の形態２或いは３で開示した何れの特徴を採用しても良い。
【０１０９】
例えば、図１５は、この発明の実施の形態４における調光システムの他の例を示す図である。図１５は、実施の形態３で開示した例と同様に、台２６に発光器２４が設けられる例を示す。発光器２４は、例えば放射する光の強弱を変化させることにより、識別情報を送信する。図１５に示す例において、識別情報は、照明器具２３を特定するための情報である。照明器具２３には固有の識別情報が予め割り当てられる。発光器２４は、例えば、赤色ＬＥＤ１１から放射される光、緑色ＬＥＤ１２から放射される光及び青色ＬＥＤ１３から放射される光の強弱を変化させることにより、照明器具２３を表す識別情報を送信する。図１５に示す例であっても、図１０に示す例と同様の機能を実現できる。なお、発光器２４の機能を被照射物が備え、被照射物自体が発光しても良い。
【０１１０】
本実施の形態では、調光システムが実施の形態１から３で開示した機能を備える例について説明した。本システムは、調光機能を備えず、待ち合わせの相手に対して位置を特定するための情報を送信する機能のみを備えても良い。
【０１１１】
既存のシステムを可能な限り活用して本調光システムを構築する場合は、認証サーバ３と制御端末６とはインターネット回線で接続されることが望ましい。但し、認証サーバ３と制御端末６とは有線で接続されても良い。一つの装置に認証サーバ３の機能と制御端末６の機能とを含めても良い。
【０１１２】
照明制御システム１の制御ユニット５は、ハードウェア資源として、例えばプロセッサとメモリとを含む処理回路を備える。制御ユニット５は、メモリに記憶されたプログラムをプロセッサによって実行することにより、上述した各機能を実現する。制御ユニット５が有する各機能の一部又は全部をハードウェアによって実現しても良い。
【０１１３】
同様に、照明制御システム１の制御端末６は、ハードウェア資源として、例えばプロセッサとメモリとを含む処理回路を備える。制御端末６は、メモリに記憶されたプログラムをプロセッサによって実行することにより、上述した各機能を実現する。制御端末６が有する各機能の一部又は全部をハードウェアによって実現しても良い。
【０１１４】
携帯端末２は、ハードウェア資源として、例えばプロセッサとメモリとを含む処理回路を備える。携帯端末２は、メモリに記憶されたプログラムをプロセッサによって実行することにより、上述した各機能を実現する。携帯端末２が有する各機能の一部又は全部をハードウェアによって実現しても良い。
【０１１５】
認証サーバ３は、ハードウェア資源として、例えばプロセッサとメモリとを含む処理回路を備える。認証サーバ３は、メモリに記憶されたプログラムをプロセッサによって実行することにより、上述した各機能を実現する。認証サーバ３が有する各機能の一部又は全部をハードウェアによって実現しても良い。
【０１１６】
発光器２４は、ハードウェア資源として、例えばプロセッサとメモリとを含む処理回路を備える。発光器２４は、メモリに記憶されたプログラムをプロセッサによって実行することにより、上述した各機能を実現する。発光器２４が有する各機能の一部又は全部をハードウェアによって実現しても良い。
【０１１７】
制御ユニット５、制御端末６、携帯端末２、認証サーバ３及び発光器２４に備えられる上記プロセッサは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。制御ユニット５、制御端末６、携帯端末２、認証サーバ３及び発光器２４に備えられる上記メモリとして、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【符号の説明】
【０１１８】
１  照明制御システム、  ２  携帯端末、  ３  認証サーバ、  ４  照明器具、  ５  制御ユニット、  ６  制御端末、  ７  通信装置、  ８  鞄、  ９  台、  １０  壁、  １１  赤色ＬＥＤ、  １２  緑色ＬＥＤ、  １３  青色ＬＥＤ、  １５  ネットワーク、  １６ａ  通信線、  １６ｂ  通信線、  １７  受信部、  １８  受光部、  １９  特定部、  ２０  入力部、  ２１  送信部、  ２２  白色ＬＥＤ、  ２３  照明器具、  ２４  発光器、  ２５  創作物、  ２６  台、  ２７  表示部、  ２８  携帯端末
【図１】
2017162802.tif 000003
【図２】
2017162802.tif 000004
【図３】
2017162802.tif 000005
【図４】
2017162802.tif 000006
【図５】
2017162802.tif 000007
【図６】
2017162802.tif 000008
【図７】
2017162802.tif 000009
【図８】
2017162802.tif 000010
【図９】
2017162802.tif 000011
【図１０】
2017162802.tif 000012
【図１１】
2017162802.tif 000013
【図１２】
2017162802.tif 000014
【図１３】
2017162802.tif 000015
【図１４】
2017162802.tif 000016
【図１５】
2017162802.tif 000017